(57)【要約】      （修正有）【課題】中央に幕板を有しその囲りに流水用の槽本体を形成し１人又は複数の使用者が同時に利用出来、全体形状も美観のあるコンパクトの構造にまとめられている複数人同時使用可能の人工大理石シンクを提供する。【解決手段】中央に配置されている幕板１には複数の水栓３が設けられ水栓３からの流水は、幕板１を囲み、流水の受け溜りを行う凹部２ａと枠縁部２ｂが形成された槽本体の凹部２ａに溜り、槽本体の底板２ｃに設けられた排水口４から円滑に排出される。水栓３が１個又は複数個あり使用者は同時利用が可能に形成されている。【選択図】図１
0003212794.tif 000002
【実用新案登録請求の範囲】
【請求項１】
天板で上面を閉止してシンクの中央位置から立ち上がり内部に水道水源に連結する配管を有する幕板と、該幕板の廻りに形成され流水の受け溜りを行う凹部と枠縁部とを形成する槽本体と、前記幕板に配設される水栓とから構成され人工大理石，ＦＲＰ，ステンレスのいずれか又はこれ等の任意の組み合わせのものからなることを特徴とする複数人同時使用可能の人工大理石シンク。
【請求項２】
前記水栓が、水道水源から出る垂直配管に連結して立ち上がり弧状に曲がってその蛇口が下方を向く形状の縦配管から形成されるもの又は前記垂直配管に対して略直角に曲がって配置される横配管からなり、前記横配管の先端側には前記横配管に基端側を連結すると共に上下方向に回動する形状の蛇口を有する連結管が連結されることを特徴とする請求項１に記載の複数人同時使用可能の人工大理石シンク。
【請求項３】
前記幕板及び槽本体の形状が円形型，楕円形型，矩形型，正方形型，三角形型，Ｓ字形型，扇形型，多角形型のいずれかの形状のものからなることを特徴とする請求項１に記載の複数人同時使用可能の人工大理石シンク。
【考案の詳細な説明】
【技術分野】
【０００１】  本考案は水栓が複数個配設され複数人が同時使用可能に形成され水栓が配置される幕板が円筒型．多角面型，矩形型等の各種形状のものからなり、人工大理石等から形成される複数人同時使用可能の人工大理石シンクに関する。
【背景技術】
【０００２】  シンクとしては各種のものが存在しているが以下に説明する本考案のように中央位置に複数の水栓を有する幕板があり、その廻りに槽本体があり、複数人が同時使用出来、人工大理石，ＦＲＰ，ステンレス等から形成されるシンクについては本出願人の調査では公知のものは見当らない。
【考案の概要】
【考案が解決しようとする課題】
【０００３】  通常シンクは複数人が同時使用出来るものは少なく、存在していたとしても中央位置に複数の水栓を配置する幕体があり、これを囲んで槽本体があり、複数人が便利に同時使用出来るものは存在していない。【０００４】  本考案の出願人は以上の事情に鑑みて考案したものであり、全体形状に従来にない特徴があり、複数人が同時使用可能の人工大理石等からなるシンクを提供することを目的とする。
【課題を解決するための手段】
【０００５】  本考案は、以上の目的を達成するために請求項１の考案は、天板で上面を閉止してシンクの中央位置から立ち上がり内部に水道水源に連結する配管を有する幕板と、該幕板の廻りに形成され流水の受け溜りを行う凹部と枠縁部とを形成する槽本体と、前記幕板に配設される水栓とから構成され人工大理石，ＦＲＰ，ステンレスのいずれか又はこれ等の任意の組み合わせのものからなることを特徴とする。【０００６】  また、請求項２の考案は、前記水栓が、水道水源から出る垂直配管に連結して立ち上がり弧状に曲がってその蛇口が下方を向く形状の縦配管から形成されるもの又は前記垂直配管に対して略直角に曲がって配置される横配管からなり、前記横配管の先端側には前記横配管に基端側を連結すると共に上下方向に回動する形状の蛇口を有する連結管が連結されることを特徴とする。【０００７】  また、請求項３の考案は、前記幕板及び槽本体の形状が円形型，楕円形型，矩形型，正方形型，三角形型，Ｓ字形型，扇形型，多角形型のいずれかの形状のものからなることを特徴とする。
【考案の効果】
【０００８】  本考案の複数人同時使用可能の人工大理石シンクによれば、水栓を有する幕板が中央位置にあり、その廻りに槽本体がある構造のため、１人又は複数人が同時に洗面や流し等を容易に行うことが出来、全体としてコンパクトにまとめられ美観もある効果を有するものである。
【図面の簡単な説明】
【０００９】
【図１】  幕板が円筒型で水栓が縦配管からなる本考案のシンクを示す写真。
【図２】  幕板が多角面（図は１２面）型のもので水栓が横配管からなる本考案のシンクを示す写真。
【図３】  幕板が矩形型で水栓が縦配管からなる本考案のシンクを示す写真。
【図４】  幕板が矩形型で水栓が横配管からなる本考案のシンクを示す写真。
【図５】  図１の型式のシンクにおける水栓の構造と水道水源との連結構造を示す模式的断面図。
【図６】  図２の型式のシンクにおける水栓の構造と水道水源との連結構造を示す模式的断面図。
【図７】  図５の模式的上面図。
【図８】  図６の模式的上面図。
【図９】  図３に示したシンクと類似するシンクの水栓の構造と水道水源との連結構造を示す模式的構成図。
【図１０】  図４に示したシンクと類似するシンクの水栓の構造と水道水源との連結構造を示す模式的構成図。
【図１１】  図９及び図１０の模式的上面図。
【図１２】  幕板及び槽本体の各種形状を示す平面図。
【考案を実施するための形態】
【００１０】  以下、本考案の複数人同時使用可能の人工大理石シンクの実施の形態を写真や図面を参照して詳述する。なお、１人使用の場合もあるが以下ではその説明を省略する。
【実施例１】
【００１１】  図１及び図５，図７は本考案のシンクの一例を示すものである。このシンク１００は幕板１と槽本体２とからなり、幕板１は円筒型に形成され円筒部１ａとこの頂部を閉止する天板１ｂとから構成されている。一方、槽本体２は幕板１のまわりに形成され流水の受け溜りを行う凹部２ａとこの端部から立ち上がり幕板１と同心のリング状の枠縁部２ｂとから形成されている。また、槽本体２の凹部２ａには底板２ｃが形成され、底板２ｃには排水口４が設けられている。また、幕板１の天板１ｂ上には水栓３が複数個（図示では６個設けられている。【００１２】  このシンク１００の水栓３は図１，図５，図７に示すように天板１ｂ上に垂直に立ち上がる縦配管３ａからなり、この縦配管３ａは水道水源５から出る垂直配管６に連結されている。また、縦配管３ａには開閉体３ｂが設けられると共にその先端側は弧形状に曲がって下向きの蛇口３ｃを形成している。
以上の構造により縦配管３ａの蛇口３ｃから流水が排水され凹部２ａに溜りこれから排水口４側に流れて排出される。
以上により複数の使用者が同時にこのシンク１００を利用することが出来る。
【実施例２】
【００１３】  図２及び図６，図８は本考案の別のシンク２００を示すものである。このシンク２００は幕板７と槽本体８とからなり幕板７は多角面型に形成され、幕板７は多角面部７ａ（本実施例では１２面体）とこの頂部を閉止する天板７ｂとから構成されている。一方、槽本体８は幕板７のまわりに形成され流水の受け溜りを行う凹部８ａとこの端部から立ち上がるリング状の枠縁部８ｂとから構成されている。また、槽本体８の凹部８ａには底板８ｃが形成され、底板８ｃには排水口４が形成されている。また、幕板７の多角面部７ａには水栓９が複数個配設されている。【００１４】  このシンク２００の水栓９は図２，図６，図８に示すように横配管９ａからなり、この横配管９ａは水道水源５から出る垂直配管６に連結されている。この横配管９ａには開閉体９ｂが配設され、横配管９ａの先端には上下方向に回動する蛇口９ｄを有する連結管９ｃが設けられている。この連結管９ｃにより蛇口９ｄは上下方向を向き、上下方向の流出を行うことが出来る。
以上により複数の使用者は同時にこのシンク２００を利用することが出来る。
【実施例３】
【００１５】  図３及び図９，図１１は本考案の更に別のシンク３００を示すものである。このシンク３００は矩形型の細長い幕板１０とこれを囲む槽本体１１とから形成されている。幕板１０の頂部には天板１０ａが設けられ、水栓１２が複数個（図３では６個、図９，図１１では５個、個数は限定するものではない）設けられている。槽本体１１は幕板１０と同じくこれを囲む矩形状のものからなり、流水の受け溜りを行う凹部１１ａとこの端部から立ち上がる枠縁部１１ｂとから構成されている。また、凹部１１ａの底板１１ｃには排水口４が設けられている。【００１６】  このシンク３００の水栓１２は縦配管１２ａからなり、この縦配管１２ａは水道水源５からの出る垂直配管６に連結されている。また、縦配管１２ａには開閉体１２ｂが設けられると共にその先端側は弧形状に曲がって下向きの蛇口１２ｃが形成されている。
以上の構造により複数の使用者が同時に水栓１２を利用出来、夫々からの水は凹部１１ａの底板１１ｃの排水口４から流出される。
【実施例４】
【００１７】  図４及び図１０，図１１は本考案の更に別のシンク４００を示す。このシンク４００は矩形状の細長な幕板１３とこれを囲む槽本体１４とから形成されている。また、幕板１３の頂部には天板１３ａが設けられている。また、幕板１３には槽に水栓１５が設けられている。
本実施例では水栓１５は３個示されているがこれに限定するものではない。槽本体１４は流水の受け溜りを行う凹部１４ａとこの端部から立ち上がる枠縁部１４ｂとからなる。また、凹部１４ａの底板１４ｃには排水口４が設けられている。【００１８】  このシンク４００の水栓１５は横配管１５ａからなり、この横配管１５ａは図１０に示すように水道水源５からの垂直配管６に連結されている。また、横配管１５ａには開閉体１５ｂが設けられ、その先端側には図４に示されている上下方向に回動する連結管１５ｃが設けられている。
以上の構造により複数の使用者が同時に水栓１５を利用出来、夫々からの水は凹部１４ａの底板１４ｃの排水口４から排水される。【００１９】  本考案は以上の説明の内容からなるが幕板や槽本体の形状は以上の内容のものに限定するものではなく各種の形状のものが適用される。また、同一技術的範疇のものが適用されることは勿論である。また、幕板や槽本体の形状は以上のものに限定するものではない。
【産業上の利用可能性】
【００２０】  本考案のシンクは前記のように各種の形状のものからなり、１人又は複数の使用者が同時利用出来、全体形状も美観のあるコンパクトの構造にまとめられ人工大理石等を利用するものであり、その利用範囲は極めて広い。
【符号の説明】
【００２１】１      幕板
１ａ    円筒部
１ｂ    天板
２      槽本体
２ａ    凹部
２ｂ    枠縁部
２ｃ    底板
３      水栓
３ａ    縦配管
３ｂ    開閉体
３ｃ    蛇口
４      排水口
５      水道水源
６      垂直配管
７      幕板
７ａ    多角面部
７ｂ    天板
８      槽本体
８ａ    凹部
８ｂ    枠縁部
８ｃ    底板
９      水栓
９ａ    横配管
９ｂ    開閉体
９ｃ    連結管
９ｄ    蛇口
１０    幕板
１０ａ  天板
１１    槽本体
１１ａ  凹部
１１ｂ  枠縁部
１１ｃ  底板
１２    水栓
１２ａ  縦配管
１２ｂ  開閉体
１２ｃ  蛇口
１３    幕板
１３ａ  天板
１４    槽本体
１４ａ  凹部
１４ｂ  枠縁部
１４ｃ  底板
１５    水栓
１５ａ  横配管
１５ｂ  開閉体
１５ｃ  連結管
１５ｄ  蛇口
１００  複数人同時使用可能の人工大理石シンク
２００  複数人同時使用可能の人工大理石シンク
３００  複数人同時使用可能の人工大理石シンク
４００  複数人同時使用可能の人工大理石シンク
【図１】
0003212794.tif 000003
【図２】
0003212794.tif 000004
【図３】
0003212794.tif 000005
【図４】
0003212794.tif 000006
【図５】
0003212794.tif 000007
【図６】
0003212794.tif 000008
【図７】
0003212794.tif 000009
【図８】
0003212794.tif 000010
【図９】
0003212794.tif 000011
【図１０】
0003212794.tif 000012
【図１１】
0003212794.tif 000013
【図１２】
0003212794.tif 000014
【手続補正書】
【提出日】平成29年7月14日(2017.7.14)
【手続補正１】
【補正対象書類名】実用新案登録請求の範囲
【補正対象項目名】全文
【補正方法】変更
【補正の内容】
【実用新案登録請求の範囲】
【請求項１】
天板で上面を閉止してシンクの中央位置から立ち上がり内部に水道水源に連結する配管を有する幕板と、該幕板の廻りに形成され流水の受け溜りを行う凹部と枠縁部とを形成する槽本体と、前記幕板に配設される水栓とから構成され人工大理石，ＦＲＰ，ステンレスのいずれか又はこれ等の任意の組み合わせのものからなることを特徴とする複数人同時使用可能のシンク。
【請求項２】
前記水栓が、水道水源から出る垂直配管に連結して立ち上がり弧状に曲がってその蛇口が下方を向く形状の縦配管から形成されるもの又は前記垂直配管に対して略直角に曲がって配置される横配管からなり、前記横配管の先端側には前記横配管に基端側を連結すると共に上下方向に回動する形状の蛇口を有する連結管が連結されることを特徴とする請求項１に記載の複数人同時使用可能のシンク。
【請求項３】
前記幕板及び槽本体の形状が円形型，楕円形型，矩形型，正方形型，三角形型，Ｓ字形型，扇形型，多角形型のいずれかの形状のものからなることを特徴とする請求項１に記載の複数人同時使用可能のシンク。
【手続補正２】
【補正対象書類名】明細書
【補正対象項目名】全文
【補正方法】変更
【補正の内容】
【考案の詳細な説明】
【技術分野】
【０００１】  本考案は水栓が複数個配設され複数人が同時使用可能に形成され水栓が配置される幕板が円筒型．多角面型，矩形型等の各種形状のものからなり、人工大理石等から形成される複数人同時使用可能のシンクに関する。
【背景技術】
【０００２】  シンクとしては各種のものが存在しているが以下に説明する本考案のように中央位置に複数の水栓を有する幕板があり、その廻りに槽本体があり、複数人が同時使用出来、人工大理石，ＦＲＰ，ステンレス等から形成されるシンクについては本出願人の調査では公知のものは見当らない。
【考案の概要】
【考案が解決しようとする課題】
【０００３】  通常シンクは複数人が同時使用出来るものは少なく、存在していたとしても中央位置に複数の水栓を配置する幕体があり、これを囲んで槽本体があり、複数人が便利に同時使用出来るものは存在していない。【０００４】  本考案の出願人は以上の事情に鑑みて考案したものであり、全体形状に従来にない特徴があり、複数人が同時使用可能の人工大理石等からなるシンクを提供することを目的とする。
【課題を解決するための手段】
【０００５】  本考案は、以上の目的を達成するために請求項１の考案は、天板で上面を閉止してシンクの中央位置から立ち上がり内部に水道水源に連結する配管を有する幕板と、該幕板の廻りに形成され流水の受け溜りを行う凹部と枠縁部とを形成する槽本体と、前記幕板に配設される水栓とから構成され人工大理石，ＦＲＰ，ステンレスのいずれか又はこれ等の任意の組み合わせのものからなることを特徴とする。【０００６】  また、請求項２の考案は、前記水栓が、水道水源から出る垂直配管に連結して立ち上がり弧状に曲がってその蛇口が下方を向く形状の縦配管から形成されるもの又は前記垂直配管に対して略直角に曲がって配置される横配管からなり、前記横配管の先端側には前記横配管に基端側を連結すると共に上下方向に回動する形状の蛇口を有する連結管が連結されることを特徴とする。【０００７】  また、請求項３の考案は、前記幕板及び槽本体の形状が円形型，楕円形型，矩形型，正方形型，三角形型，Ｓ字形型，扇形型，多角形型のいずれかの形状のものからなることを特徴とする。
【考案の効果】
【０００８】  本考案の複数人同時使用可能のシンクによれば、水栓を有する幕板が中央位置にあり、その廻りに槽本体がある構造のため、１人又は複数人が同時に洗面や流し等を容易に行うことが出来、全体としてコンパクトにまとめられ美観もある効果を有するものである。
【図面の簡単な説明】
【０００９】
【図１】  幕板が円筒型で水栓が縦配管からなる本考案のシンクを示す写真。
【図２】  幕板が多角面（図は１２面）型のもので水栓が横配管からなる本考案のシンクを示す写真。
【図３】  幕板が矩形型で水栓が縦配管からなる本考案のシンクを示す写真。
【図４】  幕板が矩形型で水栓が横配管からなる本考案のシンクを示す写真。
【図５】  図１の型式のシンクにおける水栓の構造と水道水源との連結構造を示す模式的断面図。
【図６】  図２の型式のシンクにおける水栓の構造と水道水源との連結構造を示す模式的断面図。
【図７】  図５の模式的上面図。
【図８】  図６の模式的上面図。
【図９】  図３に示したシンクと類似するシンクの水栓の構造と水道水源との連結構造を示す模式的構成図。
【図１０】  図４に示したシンクと類似するシンクの水栓の構造と水道水源との連結構造を示す模式的構成図。
【図１１】  図９及び図１０の模式的上面図。
【図１２】  幕板及び槽本体の各種形状を示す平面図。
【考案を実施するための形態】
【００１０】  以下、本考案の複数人同時使用可能のシンクの実施の形態を写真や図面を参照して詳述する。なお、１人使用の場合もあるが以下ではその説明を省略する。
【実施例１】
【００１１】  図１及び図５，図７は本考案のシンクの一例を示すものである。このシンク１００は幕板１と槽本体２とからなり、幕板１は円筒型に形成され円筒部１ａとこの頂部を閉止する天板１ｂとから構成されている。一方、槽本体２は幕板１のまわりに形成され流水の受け溜りを行う凹部２ａとこの端部から立ち上がり幕板１と同心のリング状の枠縁部２ｂとから形成されている。また、槽本体２の凹部２ａには底板２ｃが形成され、底板２ｃには排水口４が設けられている。また、幕板１の天板１ｂ上には水栓３が複数個（図示では６個）設けられている。【００１２】  このシンク１００の水栓３は図１，図５，図７に示すように天板１ｂ上に垂直に立ち上がる縦配管３ａからなり、この縦配管３ａは水道水源５から出る垂直配管６に連結されている。また、縦配管３ａには開閉体３ｂが設けられると共にその先端側は弧形状に曲がって下向きの蛇口３ｃを形成している。
以上の構造により縦配管３ａの蛇口３ｃから流水が排水され凹部２ａに溜りこれから排水口４側に流れて排出される。
以上により複数の使用者が同時にこのシンク１００を利用することが出来る。
【実施例２】
【００１３】  図２及び図６，図８は本考案の別のシンク２００を示すものである。このシンク２００は幕板７と槽本体８とからなり幕板７は多角面型に形成され、幕板７は多角面部７ａ（本実施例では１２面体）とこの頂部を閉止する天板７ｂとから構成されている。一方、槽本体８は幕板７のまわりに形成され流水の受け溜りを行う凹部８ａとこの端部から立ち上がるリング状の枠縁部８ｂとから構成されている。また、槽本体８の凹部８ａには底板８ｃが形成され、底板８ｃには排水口４が形成されている。また、幕板７の多角面部７ａには水栓９が複数個配設されている。【００１４】  このシンク２００の水栓９は図２，図６，図８に示すように横配管９ａからなり、この横配管９ａは水道水源５から出る垂直配管６に連結されている。この横配管９ａには開閉体９ｂが配設され、横配管９ａの先端には上下方向に回動する蛇口９ｄを有する連結管９ｃが設けられている。この連結管９ｃにより蛇口９ｄは上下方向を向き、上下方向の流出を行うことが出来る。
以上により複数の使用者は同時にこのシンク２００を利用することが出来る。
【実施例３】
【００１５】  図３及び図９，図１１は本考案の更に別のシンク３００を示すものである。このシンク３００は矩形型の細長い幕板１０とこれを囲む槽本体１１とから形成されている。幕板１０の頂部には天板１０ａが設けられ、水栓１２が複数個（図３では６個、図９，図１１では５個、個数は限定するものではない）設けられている。槽本体１１は幕板１０と同じくこれを囲む矩形状のものからなり、流水の受け溜りを行う凹部１１ａとこの端部から立ち上がる枠縁部１１ｂとから構成されている。また、凹部１１ａの底板１１ｃには排水口４が設けられている。【００１６】  このシンク３００の水栓１２は縦配管１２ａからなり、この縦配管１２ａは水道水源５からの出る垂直配管６に連結されている。また、縦配管１２ａには開閉体１２ｂが設けられると共にその先端側は弧形状に曲がって下向きの蛇口１２ｃが形成されている。
以上の構造により複数の使用者が同時に水栓１２を利用出来、夫々からの水は凹部１１ａの底板１１ｃの排水口４から流出される。
【実施例４】
【００１７】  図４及び図１０，図１１は本考案の更に別のシンク４００を示す。このシンク４００は矩形状の細長な幕板１３とこれを囲む槽本体１４とから形成されている。また、幕板１３の頂部には天板１３ａが設けられている。また、幕板１３には槽に水栓１５が設けられている。
本実施例では水栓１５は３個示されているがこれに限定するものではない。槽本体１４は流水の受け溜りを行う凹部１４ａとこの端部から立ち上がる枠縁部１４ｂとからなる。また、凹部１４ａの底板１４ｃには排水口４が設けられている。【００１８】  このシンク４００の水栓１５は横配管１５ａからなり、この横配管１５ａは図１０に示すように水道水源５からの垂直配管６に連結されている。また、横配管１５ａには開閉体１５ｂが設けられ、その先端側には図４に示されている上下方向に回動する連結管１５ｃが設けられている。
以上の構造により複数の使用者が同時に水栓１５を利用出来、夫々からの水は凹部１４ａの底板１４ｃの排水口４から排水される。【００１９】  本考案は以上の説明の内容からなるが幕板や槽本体の形状は以上の内容のものに限定するものではなく各種の形状のものが適用される。また、同一技術的範疇のものが適用されることは勿論である。また、幕板や槽本体の形状は以上のものに限定するものではない。
【産業上の利用可能性】
【００２０】  本考案のシンクは前記のように各種の形状のものからなり、１人又は複数の使用者が同時利用出来、全体形状も美観のあるコンパクトの構造にまとめられ人工大理石等を利用するものであり、その利用範囲は極めて広い。
【符号の説明】
【００２１】１      幕板
１ａ    円筒部
１ｂ    天板
２      槽本体
２ａ    凹部
２ｂ    枠縁部
２ｃ    底板
３      水栓
３ａ    縦配管
３ｂ    開閉体
３ｃ    蛇口
４      排水口
５      水道水源
６      垂直配管
７      幕板
７ａ    多角面部
７ｂ    天板
８      槽本体
８ａ    凹部
８ｂ    枠縁部
８ｃ    底板
９      水栓
９ａ    横配管
９ｂ    開閉体
９ｃ    連結管
９ｄ    蛇口
１０    幕板
１０ａ  天板
１１    槽本体
１１ａ  凹部
１１ｂ  枠縁部
１１ｃ  底板
１２    水栓
１２ａ  縦配管
１２ｂ  開閉体
１２ｃ  蛇口
１３    幕板
１３ａ  天板
１４    槽本体
１４ａ  凹部
１４ｂ  枠縁部
１４ｃ  底板
１５    水栓
１５ａ  横配管
１５ｂ  開閉体
１５ｃ  連結管
１５ｄ  蛇口
１００  複数人同時使用可能のシンク
２００  複数人同時使用可能のシンク
３００  複数人同時使用可能のシンク
４００  複数人同時使用可能のシンク